(57)【要約】【課題】外装パネルの組み付けの容易性を確保しつつ機器のコンパクト化を図る。【解決手段】給水タンク１７を保持するための空間を画成するタンクケース本体２７と、一方にタンクケース本体２７へ開閉自在に支持する支持軸３２、他方にタンクケース本体２７に対するロック部を有し、閉状態でタンクケース本体２７の空間を閉塞すると共にタンクケース本体２７から離反する方向に付勢されるタンクケース扉部材３１と、ロック部と係合してタンクケース本体２７とのロック状態を維持する係合部、及び押下動作によってロック状態を解除する押しボタン４１を有する操作部材３５とを設ける。収納ユニットの外周が外装パネルの開口部に覆われると共に、押しボタン４１が外装パネルの組み付け位置における外装パネルの外面から突出し、且つ押しボタン４１の裏側に外装パネルの開口部周縁を挿入するスペースを有する構造とする。【選択図】　図５
2004093068.tif 000002
【特許請求の範囲】
【請求項１】
機器に取り付けられると共に収納物を保持するための空間を画成するケース基体と、
一方に前記ケース基体へ開閉自在に支持する支持部、他方に前記ケース基体に対するロック部を有し、閉状態で前記ケース基体の空間を閉塞すると共に前記ケース基体から離反する方向に付勢される開閉部材と、
前記ロック部と係合して前記ケース基体とのロック状態を維持する係合部、及び押下動作によって前記ロック状態を解除する押しボタンを有する操作部材とを備え、
前記収納ユニットの外周が機器の外装パネルの開口部に覆われると共に、前記操作部材の押しボタンが前記外装パネルの組み付け位置における前記外装パネルの外面であるパネル面から突出し、且つ前記押しボタンの裏側に前記外装パネルの開口部周縁を挿入するスペースを有していることを特徴とする収納ユニットの組み付け構造。
【請求項２】
前記収納ユニットと、組み付けられた前記外装パネルの開口部との隙間を覆う化粧パネルが、その外面に前記パネル面から突出した操作部材の押しボタンを略面一にして固定されていることを特徴とする請求項１記載の収納ユニットの組み付け構造。
【請求項３】
前記操作部材の押しボタンが、前記化粧パネルの外面よりも深く押下された段階で、前記開閉部材と前記ケース基体とのロックを解除することを特徴とする請求項２記載の収納ユニットの組み付け構造。
【請求項４】
前記開閉部材のロック部及び前記操作部材の係合部が、互いに当接して摺動する当接面と、当接面同士の摺動を完了したときに互いに係合する係合面とをそれぞれ備え、前記当接面が、前記操作部材の押しボタンが前記パネル面から突出した状態から、前記化粧パネルの外面よりも深く押下される状態まで摺動し続けるだけの長さを有することを特徴とする請求項３記載の収納ユニットの組み付け構造。
【請求項５】
前記操作部材が、たる型コイルバネにより逆押下方向へ付勢されていることを特徴とする請求項１〜請求項４のいずれか１項記載の収納ユニットの組み付け構造。
【発明の詳細な説明】
【０００１】
【発明の属する技術分野】
本発明は、例えば、水蒸気を発生させるための水を入れた給水タンクが収納された収納ユニットを有する高周波加熱装置等の各種機器における収納ユニットの組み付け構造に関するものである。
【０００２】
【従来の技術】
従来の高周波加熱装置としては、高周波加熱のみの単機能型や高周波加熱に加えてヒータ加熱を行うコンベクションヒータを備えたコンビネーションレンジ等があり、また、高周波と蒸気とを加熱室に供給可能に構成した高周波加熱装置も検討されている。
蒸気発生機能を付加した高周波加熱装置としては、例えば加熱室外にボイラを設け、このボイラから発生する蒸気を加熱室内に導入する方式等、種々の方式が提案されている（例えば、特許文献１参照）。
このような蒸気発生機能を付加した高周波加熱装置は、外装に形成した収納スペースに着脱可能な給水タンクを備えており、この給水タンクの水が給水ポンプによってボイラに滴下される。
【０００３】
【特許文献１】
特開平９−１０１０３４号公報（第３頁、図１，図２）
【０００４】
【発明が解決しようとする課題】
ところで、最近の高周波加熱装置においては、高周波加熱装置の操作パネルを扉部に配置したり制御回路を底面に配置する等して、加熱室の容積を拡大すると共に装置全体のコンパクト化を図ることが要求されている。しかしながら、上記のような給水タンクを装置外側に形成した収納スペースへ着脱可能とした高周波加熱装置にあっては、給水タンクを着脱可能に設置する大きなスペースが必要であり、加熱室の容積の拡大と共に装置全体のコンパクト化を図ることが困難であった。
【０００５】
そこで、装置の側部等における加熱室内と外装パネルとの間の狭隘な隙間に給水タンクを収納することが考えられるが、この隙間に給水タンクの収納部を設けると、外装パネルの組み付けが困難となる問題を生じることとなる。
特に、装置の上面及び両側面を構成する外装パネルを予め断面コ字状に形成して加熱室の上方あるいは後方からスライドさせて嵌め込む構造として組み付け作業の容易化を図ろうとすると、外装パネルの装置本体へのスライド装着時に、給水タンクの収納部が外装パネルに対して外方へ突出しているため、干渉し合い、スライドさせても外装パネルの端面等が給水タンクに引っ掛かり、組み付けることができなかった。
【０００６】
本発明は、このような従来の問題に鑑みてなされたもので、外装パネルの組み付けの容易性を確保しつつ機器のコンパクト化を図ることが可能な収納ユニットの組み付け構造を提供することを目的としている。
【０００７】
【課題を解決するための手段】
上記目的を達成するための本発明に係る請求項１記載の収納ユニットの組み付け構造は、機器に取り付けられると共に収納物を保持するための空間を画成するケース基体と、一方に前記ケース基体へ開閉自在に支持する支持部、他方に前記ケース基体に対するロック部を有し、閉状態で前記ケース基体の空間を閉塞すると共に前記ケース基体から離反する方向に付勢される開閉部材と、前記ロック部と係合して前記ケース基体とのロック状態を維持する係合部、及び押下動作によって前記ロック状態を解除する押しボタンを有する操作部材とを備え、前記収納ユニットの外周が機器の外装パネルの開口部に覆われると共に、前記操作部材の押しボタンが前記外装パネルの組み付け位置における前記外装パネルの外面であるパネル面から突出し、且つ前記押しボタンの裏側に前記外装パネルの開口部周縁を挿入するスペースを有していることを特徴とする。
【０００８】
この収納ユニットの組み付け構造では、操作部材の押しボタンを押下することにより開閉部材のロック状態が解除され、開閉部材を操作部材の付勢方向とは反対方向に押し戻すことで開閉部材がケース基体にロックされる。この開閉部材のロック状態で、操作部材の押しボタンが外装パネルの組み付け位置におけるパネル面から突出しているので、外装パネルの開口部周縁を挿入するスペースを有するようになる。これにより、外装パネルを機器に被せて取り付ける際に、そのスペースへ外装パネルの開口部周縁を挿入することで、例えば、外装パネルに形成された係合爪を機器の枠部へ容易にスライドさせて差し込むことができ、外装パネルの組み付けを容易にすることができる。また、機器の設計の自由度が向上し、コンパクト化を図ることができる。
【０００９】
請求項２記載の収納ユニットの組み付け構造は、前記収納ユニットと、組み付けられた前記外装パネルの開口部との隙間を覆う化粧パネルが、その外面に前記パネル面から突出した操作部材の押しボタンを略面一にして固定されていることを特徴とする。
【００１０】
この収納ユニットの組み付け構造では、操作部材の押しボタンが化粧パネルの外面と略面一にされているので、機器の外面における突出部分をなくすことができる。これにより、組み付け後の状態における機器の美観を良好にでき、突出部分をなくせるために安全性にも優れた構成にできる。
【００１１】
請求項３記載の収納ユニットの組み付け構造は、前記操作部材の押しボタンが、前記化粧パネルの外面よりも深く押下された段階で、前記開閉部材と前記ケース基体とのロックを解除することを特徴とする。
【００１２】
この収納ユニットの組み付け構造では、化粧パネルの外面より押しボタンを深く押下することにより開閉部材が開かれるので、不用意に開閉部材が開くような不具合を確実になくすことができる。
【００１３】
請求項４記載の収納ユニットの組み付け構造は、前記開閉部材のロック部及び前記操作部材の係合部が、互いに当接して摺動する当接面と、当接面同士の摺動を完了したときに互いに係合する係合面とをそれぞれ備え、前記当接面が、前記操作部材の押しボタンが前記パネル面から突出した状態から、前記化粧パネルの外面よりも深く押下される状態まで摺動し続けるだけの長さを有することを特徴とする。
【００１４】
この収納ユニットの組み付け構造では、開いた開閉部材を機器側へ押し込んだ際に、当接面が互いに摺動し、その後、互いの係合面が係合することにより、確実かつ容易に開閉部材を閉じた状態に維持させることができる。
【００１５】
請求項５記載の収納ユニットの組み付け構造は、前記操作部材が、たる型コイルバネにより逆押下方向へ付勢されていることを特徴とする。
【００１６】
また、押しボタン４１の裏側のスペースを、バネ径の小さい端部側に配置することで、外装パネルの挿入スペースをさらに大きくとることができ、外装パネルの組み付けの容易化が一層図られる。
【００１７】
【発明の実施の形態】
以下、本発明に係る収納ユニットの組み付け構造の好適な実施の形態について図面を参照して詳細に説明する。
なお、ここでは、収納ユニットを組み付ける機器として、高周波加熱装置を例にとって説明する。
図１は本発明に係る高周波加熱装置の外観斜視図、図２は高周波加熱装置の開閉扉を開けた状態を示す概略的な正面図である。
本発明は、一例として図１に示すように、高周波加熱装置（機器）１００に備えられた蒸気発生部へ水供給を行うための給水タンク１７が収納された収納ユニット２０を、高周波加熱装置１００の側面に設け、その収納ユニット２０に備わる押しボタン４１の裏側に外装パネル６５を挿入するスペースを有する点に特徴を有しているが、まず、機器としての高周波加熱装置１００の基本的な構成とその作用から説明する。
【００１８】
本高周波加熱装置１００は、図１及び図２に示すように、被加熱物を収容する加熱室１１に、高周波（マイクロ波）と蒸気との少なくともいずれかを供給して被加熱物を加熱処理する加熱調理器であって、高周波を発生する高周波発生部としてのマグネトロン１３と、加熱室１１内で蒸気を発生する蒸気発生部１５と、蒸気発生部１５への給水路に接続された脱着自在な給水タンク１７とを主要な構成要素として備えている。
【００１９】
加熱室１１は前面開放の箱形の本体ケース１０内部に形成され、本体ケース１０の前面には、加熱室１１の被加熱物取出口を開閉する透光窓１９ａ付きの開閉扉１９を設けている。開閉扉１９は、下端が本体ケース１０の下縁にヒンジ結合されることで、該下端を回転中心として上端が前後方向に移動して開閉可能となっている。加熱室１１と本体ケース１０との壁体面間には所定の断熱空間が確保されており、必要に応じてその空間には断熱材が装填される。
【００２０】
マグネトロン１３は、加熱室１１の下側の空間に配置され、マグネトロン１３より発生した高周波を受ける位置にはスタラー羽根２１を設けてある。このマグネトロン１３から発生した高周波を、回転駆動されるスタラー羽根２１に照射することにより、スタラー羽根２１によって高周波が加熱室１１内へ撹拌されながら供給するようになっている。なお、マグネトロン１３やスタラー羽根２１は、加熱室１１の底部に設ける構成に限らず、例えば加熱室１１の上面や側面側に設けた構成にもでき、また、スタラー羽根２１を設けず、ターンテーブルを設けて被加熱物側を回転させる構成であってもよい。
【００２１】
蒸気発生部１５は、加熱により蒸気を発生する水溜凹所を有した蒸発皿２３を備えている。この蒸発皿２３は、図示は省略するが、その下方に蒸発皿加熱ヒータと、このヒータの輻射熱を蒸発皿２３に向けて反射する断面略Ｕ字形の反射板とを有している。蒸発皿２３は、例えばステンレス製の細長板状のもので、加熱室１１の被加熱物取出口とは反対側の奥側底面に長手方向を仕切板２４に沿わせた向きで配設され、図示しない赤外線センサの温度検出走査の検出範囲外に設けている。なお、蒸発皿加熱ヒータとしては、ガラス管ヒータ、シーズヒータ、プレートヒータ等が利用できる。
【００２２】
ここで、図３に高周波加熱装置１００から給水タンク１７を取り出す手順を示した。図３（ａ）に示すように、高周波加熱装置１００の側面の手前側に設けられた押しボタン４１を高周波加熱装置１００の内側方向へ押下することで、図３（ｂ）に示すように、タンクケース扉部材３１とこれに載置された給水タンク１７が高周波加熱装置１００の側面から外方へ開く。そして、図３（ｃ）に示すように、給水タンク１７を高周波加熱装置１００の正面側へ引き出すことで給水タンク１７が取り出される。
【００２３】
また、給水タンク１７を収容する場合は、上記手順と反対に、タンクケース扉部材３１を開いた状態として、タンクケース扉部材３１に給水タンク１７をスライドさせて挿入し、給水タンク１７を奥まで挿入する。そして、タンクケース扉部材３１を高周波加熱装置１００の内側方向へ押し戻すことで、タンクケース扉部材３１が操作部材３５によって扉の閉状態で係止される。
【００２４】
次に、高周波加熱装置１００に脱着自在に給水タンク１７を配設する収納ユニット２０の構造について説明する。
図４に高周波加熱装置の側面に給水タンクを配設する収納ユニット２０の分解斜視図、図５に収納ユニット２０の斜視図、図６に収納ユニット２０の正面図を示した。
本高周波加熱装置１００の側面には、図４に示すように、加熱室内側の側壁板から高周波加熱装置１００の外方へ所定の空間を空けて側面断熱板２５が固設されており、この側面断熱板２５にケース基体としてのタンクケース本体２７を、側面断熱板２５に対して所定の空間を空けて設けている。
【００２５】
このタンクケース本体２７には、図５に示すように、給水用のポンプ２９を取り付けてあり、開閉部材となるタンクケース扉部材３１の一方が支持軸３２を中心として開閉自在に軸支されている。また、タンクケース本体２７とタンクケース扉部材３１との間には、給水タンク１７がタンクケース扉部材３１に載置されて収容される。
なお、給水タンク１７は、扁平な直方体形状であって、図６に示すように、タンク本体５１と、取水筒５３及び給水口５５が固定されタンク本体５１に脱着自在なタンク蓋体５７からなる。
【００２６】
この給水タンク１７は、タンクケース扉部材３１に挿入することにより、タンクケース扉部材３１の取水口５９に給水口５５が接続される。そして、この状態で給水用のポンプ２９は、タンク本体５１内の水を取水筒５３から吸い上げ、チューブ６１を介して供給ホース６３へ送り込み、供給ホース６３の終端に設けた蒸発皿２３（図２参照）へ送り込む。
【００２７】
さらに、図７にタンクケース本体２７とタンクケース扉部材３１との係合部分を示すように、タンクケース扉部材３１の支持軸３２とは反対側の他方には、タンクケース本体２７に対するロック部３３を有している。
また、タンクケース本体２７には、タンクケース扉部材３１と係合する操作部材３５が取り付けられ、この操作部材３５は、両端に形成された支持アーム３７によってタンクケース本体２７の上下部に回動可能に支持されている。そして、タンクケース本体２７とタンクケース扉部材３１との間には、操作部材３５によるロック部３３のロック状態を解除した際に、タンクケース扉部材３１を高周波加熱装置１００の外方へ飛び出させるようにタンクケース本体２７から離反する方向に付勢するねじりコイルバネ４３が設けられている。
【００２８】
ここで、図８は操作部材３５の形状を示す斜視図、図９は操作部材３５の取り付け構造を示す斜視図である。
図８及び図９に示すように、操作部材３５は、タンクケース本体２７に回転自在に軸支される支持アーム３７、タンクケース扉部材３１のロック部３３と係合してタンクケース本体２７とのロック状態を維持する係合部３９、及び押下動作によって係合部３９によるロック部３３のロック状態を解除する押しボタン４１を有している。
この操作部材３５の押しボタン４１の裏側には、タンクケース本体２７との間に複数のたる型コイルバネ４５を取り付けてある。これらたる型コイルバネ４５によって、押しボタン４１がその押下される方向と逆方向、つまり逆押下方向へ付勢されている。
【００２９】
図１０に図９のＡ−Ａ断面図を示した。
たる型コイルバネ４５は、そのコイル径が中央では太く、両端部に向かうに従って細くされており、押しボタン４１の押下によるバネ４５の座屈を防止している。また、操作部材３５の押しボタン４１は、支持アーム３７の軸支位置から離れるに従って高周波加熱装置１００の外方へ向かって傾斜され、本体ケース１０端部の開口傾斜面２７ａと相まって、開き角θで示すように、外方に向けて大きく開口した形態となっている。なお、押しボタン４１の裏側のスペースには、たる型コイルバネ４５が、そのバネ径の小さい端部側を前記開口部位に配置されている。これにより、図１１に操作部材３５の押しボタン４１が外方に開口した様子を示すように、この開口部位に後述する外装パネルをより奥側に挿入することができ、挿入スペースを大きく確保することができる。そして図１１に示すように、収納ユニット２０は、高周波加熱装置１００の側面断熱板２５に取り付けられ、開口部位を高周波加熱装置１００の手前側に向けて配置される。
【００３０】
ここで、タンクケース扉部材３１と操作部材３５との係合の仕方を詳細に説明する。
図１２に各部材の係合を段階的に示した。まず、図１２（ａ）に示すように、開状態にあるタンクケース扉部材３１をタンクケース本体側に押し込むと、図１２（ｂ）に示すように、タンクケース扉部材３１のロック部３３に形成された当接面３３ａが操作部材３５の係合部３９に形成された当接面３９ａに当接する。さらに、タンクケース扉部材３１を押し込むと、当接面３３ａと当接面３９ａとが互いに摺動して操作部材３５がたる型コイルバネ４５の付勢力に抗して押下方向へ回動され、押しボタン４１が化粧パネル４７の外面よりも深く押し込まれた状態となる。
【００３１】
つまり、当接面３３ａ及び当接面３９ａは、押しボタン４１が化粧パネル４７の外面よりも深く押下される状態まで摺動し続けるだけの長さを有している。
その後、当接面３３ａと当接面３９ａとの摺動が完了すると、図１２（ｃ）に示すように、操作部材３５がたる型コイルバネ４５の付勢力によって逆方向に回動され、ロック部３３に形成された係合面３３ｂと係合部３９に形成された係合面３９ｂとが互いに係合し、タンクケース扉部材３１が閉状態に維持されてロック状態となる。
【００３２】
上記のように収納ユニット２０が組み付けられた高周波加熱装置１００には、本体ケース１０を構成する外装パネル６５が取り付けられ、この外装パネル６５によって高周波加熱装置１００の両側面及び上面が覆われる。
この外装パネル６５は、鉄板等を折り曲げ加工することにより形成されたもので、両側面を構成する側面部６７と、上面を構成する上面部６９とを有している（図４参照）。また、外装パネル６５は側面部６７に開口部７１を有しており、外装パネル６５を高周波加熱装置１００に取り付けた際に、開口部７１内に収納ユニット２０が配設されることになる。つまり、収納ユニット２０は、外装パネル６５の開口部７１に覆われる構造とされている。
【００３３】
また、外装パネル６５は、側面部６７及び上面部６９の前端に、係合爪７３，７５を有しており、これら係合爪７３，７５は、高周波加熱装置１００の前面側を形成する枠部７７に係合される。
【００３４】
つまり、この外装パネル６５は、係合爪７３，７５を枠部７７に係合させながら高周波加熱装置１００に被せられ、その後、後部あるいは側部をねじ止め等の固定手段により固定される。その後、収納ユニット２０と外装パネル６５の開口部７１との隙間には、化粧パネル４７が嵌め込まれる。そして、これら各部材を組み立てることで、給水タンク１７が高周波加熱装置１００の内部に収容された図１に示す外観形状となる。
【００３５】
ここで、外装パネル６５を高周波加熱装置１００に被せて取り付ける際の手順を図１３を用いて説明する。
まず、図１３（ａ）に示すように、外装パネル６５の開口部７１が形成された側面部６７を上面部６９に対して開いた状態とし、上面部６９に形成された係合爪７５を枠部７７に係合させる。
次いで、図１３（ｂ）に示すように、側面部６７の係合爪７３を枠部７７の外側に出した状態で、開口部７１の前面側の周縁が収納ユニット２０の前方の押しボタン４１を越える位置まで外装パネル６５を高周波加熱装置１００に被せる。
【００３６】
この状態で、図１３（ｃ）に示すように、側面部６７を高周波加熱装置１００側へ押し込み、係合爪７５の枠部７７への係合状態を維持させながら外装パネル６５を引き上げ、図１４に拡大して示すように、開口部７１の前面側の周縁を操作部材３５の押しボタン４１の裏面側のスペースへ挿入し、側面部６７の上側の係合爪７３を枠部７７の内方位置に配置させる。
このとき、押しボタン４１は、逆押下方向に付勢されて高周波加熱装置１００の外方へ向かって傾斜され、また、押しボタン４１を付勢するたる型コイルバネ４５は、コイル径が細くされた部位を開口部位に配置しているため、押しボタン４１の裏側に大きなスペースが形成される。これにより、押しボタン４１の裏側のスペースに、外装パネル６５の開口部７１の前面側周縁を余裕をもって奥まで挿入することができる。
【００３７】
その後、図１３（ｄ）に示すように、さらに側面部６７を高周波加熱装置１００側へ押し込み、側面部６７の係合爪７３を枠部７７に係合させながら外装パネル６５を高周波加熱装置１００に完全に被せて取り付ける。
最後に、収納ユニット２０と外装パネル６５の開口部７１との隙間に化粧パネル４７を嵌め込み、これら収納ユニット２０と外装パネル６５との隙間を埋める。
【００３８】
ここで、化粧パネル４７の装着前の段階では、操作部材３５の押しボタン４１は、タンクケース扉部材３１がタンクケース本体２７にロックされた状態で、外装パネル６５の外面であるパネル面から突出している。より詳細には、外装パネル６５のパネル面よりも、組み付けられた収納ユニット２０のタンクケース扉部材３１の外面が若干突出しており、そのため、操作部材３５の押しボタン４１は、このタンクケース扉部材３１の外面から高周波加熱装置１００の外方に向けて突出した形態となっている。また、化粧パネル４７は、その外周縁が滑らかな曲面で形成されている。
化粧パネル４７が外装パネル６５の開口部７１との隙間に装着されると、この化粧パネル４７によって操作部材３５を押し込み、押しボタン４１を化粧パネル４７の外面と略面一となる状態に配置され、高周波加熱装置１００の側面が大略滑らかな連続面として形成される。
【００３９】
図１５に化粧パネルの取り付け状態を説明する収納ユニットの一部の側面図を示した。図１５（ａ）に示す状態から図１５（ｂ）に示すように化粧パネル４７を嵌め込むことにより、操作部材３５の両端部に形成された段部３５ａが化粧パネル４７によって押し込まれ、操作部材３５の押しボタン４１が化粧パネル４７の外面と略面一の状態とされる。このように、外装パネル６５の取り付け後に大きな開口角θを有していた操作部材３５は、最終的に化粧パネル４７の装着により外方への突出が殆どない平坦な状態となる。
【００４０】
以上説明したように、本発明に係る収納ユニット２０の組み付け構造によれば、押しボタン４１を押下することによりタンクケース扉部材３１のロック状態が解除され、タンクケース扉部材３１が付勢方向である高周波加熱装置１００の側面外側へ開き、また、タンクケース扉部材３１を付勢方向とは反対方向押し戻すことでタンクケース扉部材３１が閉じられてロックされるという動作が実現できる。この収納ユニット２０の外装パネル６５取り付け前の段階では、タンクケース扉部材３１のロック状態において、操作部材３５の押しボタン４１が高周波加熱装置１００の側面外側へ向けて突出しており、外装パネル６５の開口部７１周縁を挿入するスペースを十分に有しているので、外装パネル６５を高周波加熱装置１００に被せて取り付ける際の組み付けの容易性を確保することができる。そして、機器の設計の自由度が向上し、コンパクト化を図ることができる。
【００４１】
また、収納ユニット２０の組み付け後は、操作部材３５の押しボタン４１が化粧パネル４７の外面と略面一にされているので、高周波加熱装置１００の外面における突出部分をなくすことができる。しかも、化粧パネル４７の外面より押しボタン４１を深く押下することによりタンクケース扉部材３１が開かれるので、不用意にタンクケース扉部材３１が開くような不具合を確実になくすことができる。
【００４２】
具体的には、開いたタンクケース扉部材３１を高周波加熱装置１００側へ押し込んだ際に、当接面３３ａ，３９ａが互いに摺動し、その後、互いの係合面３３ｂ，３９ｂが係合することにより、確実かつ容易にタンクケース扉部材３１を閉じた状態に維持させることができる。
【００４３】
以上のようにして組み立てた高周波加熱装置１００によれば、給水タンク１７を高周波加熱装置１００から脱着自在に配設したことにより、水交換が容易にでき、衛生的な水供給が行えるようになる。また、給水タンク１７を高周波加熱装置１００の側面に配置したことにより、高周波加熱装置１００の正面側からの加熱動作に何ら影響を及ぼすことがなく、また、給水タンク１７の脱着動作も、タンクケース扉部材３１の回転軸を高周波加熱装置１００の奥側に設けたことで、タンクケース扉部材３１が正面側で開くこととなり、正面側からの操作性のよい抜き差し動作で行える。
【００４４】
なお、給水タンク１７は、上記したように高周波加熱装置１００の一方の側面に配置する以外にも、反対側の側面、或いは上面、下面のいずれの位置に設けることができる。その場合にも、高周波加熱装置１００の外方へ給水タンク１７を引き出してから正面側に抜き差しすることで操作性のよい脱着動作が行える。
また、給水タンク１７を高周波加熱装置１００の本体ケース１０内にコンパクトに収容することで、高周波加熱装置１００の筐体サイズを特に拡大することなく、設置面積の増加が防止される。
【００４５】
なお、上記実施形態では、収納ユニット２０が組み付けられた機器として高周波加熱装置を例にとり説明したが、この収納ユニット２０の組み付け構造は、高周波加熱装置に限らず、これ以外の各種機器に適用することができる。また、収納ユニット２０に収納する収納物としては、給水タンク１７の他、いかなるものであってもよい。
【００４６】
【発明の効果】
以上、詳細に説明したように、本発明に係る収納ユニットの組み付け構造によれば、操作部材の押しボタンを押下することにより開閉部材のロック状態が解除され、開閉部材を操作部材の付勢方向とは反対方向に押し戻すことで開閉部材がケース基体にロックされる。この開閉部材のロック状態で、操作部材の押しボタンが外装パネルの組み付け位置におけるパネル面から突出しているので、外装パネルの開口部周縁を挿入するスペースを有するようになり、外装パネルを機器に被せて取り付ける際に、そのスペースへ外装パネルの開口部周縁を挿入することができ、外装パネルの組み付けを容易にできる。また、機器の設計の自由度が向上し、機器のコンパクト化を図ることができる。
【図面の簡単な説明】
【図１】本発明に係る高周波加熱装置の外観斜視図である。
【図２】高周波加熱装置の開閉扉を開けた状態を示す概略的な正面図である。
【図３】高周波加熱装置から給水タンクを取り出す手順を示す説明図である。
【図４】高周波加熱装置の側面に給水タンクを配設した構成の分解斜視図である。
【図５】収納ユニットの構造を示すそれぞれ収納ユニットの斜視図である。
【図６】収納ユニットの構造を示す収納ユニットの正面図である。
【図７】収納ユニット及び操作部材を説明する収納ユニットの一部の斜視図である。
【図８】収納ユニットの操作部材の形状を示す斜視図である。
【図９】収納ユニットの操作部材の取り付け構造を示す斜視図である。
【図１０】操作部材の押しボタンの配設構造を説明する収納ユニットの図９におけるＡ−Ａ断面図である。
【図１１】操作部材の押しボタンの配設構造を説明する収納ユニットの一部の斜視図である。
【図１２】タンクケース扉部材と操作部材との係合の仕方を説明する断面図である。
【図１３】高周波加熱装置へ外装パネルを取り付ける手順を示す説明図である。
【図１４】高周波加熱装置への外装パネルの取り付け方を説明する加熱装置の一部の斜視図である。
【図１５】化粧パネルの取り付け状態を説明する収納ユニットの一部の側面図である。
【符号の説明】
１７　給水タンク（収納物）
２０　収納ユニット
２７　タンクケース本体（ケース基体）
３１　タンクケース扉部材（開閉部材）
３２　支持軸
３３　ロック部
３３ａ，３９ａ　当接面
３３ｂ，３９ｂ　係合面
３５　操作部材
３９　係合部
４１　押しボタン
４５　たる型コイル
４７　化粧パネル
６５　外装パネル
７１　開口部
１００　高周波加熱装置（機器）
【図１】
2004093068.tif 000003
【図２】
2004093068.tif 000004
【図３】
2004093068.tif 000005
【図４】
2004093068.tif 000006
【図５】
2004093068.tif 000007
【図６】
2004093068.tif 000008
【図７】
2004093068.tif 000009
【図８】
2004093068.tif 000010
【図９】
2004093068.tif 000011
【図１０】
2004093068.tif 000012
【図１１】
2004093068.tif 000013
【図１２】
2004093068.tif 000014
【図１３】
2004093068.tif 000015
【図１４】
2004093068.tif 000016
【図１５】
2004093068.tif 000017